(57)【特許請求の範囲】
【請求項１】
第１の位相制御式調光器によって位相制御された交流電圧を受電する第１の入力端と、
第１の発光色を有する第１の光源部に第１の電流を供給する第１の電流供給部と、
前記第１の発光色と異なる第２の発光色を有する第２の光源部に第２の電流を供給する第２の電流供給部と、
前記第１の電流及び前記第２の電流の大きさを制御することにより、前記第１の光源部及び前記第２の光源部から出力される光の合計光量及び合成光色を制御する制御回路と、
前記制御回路に制御信号を供給する信号供給部と、を備え、
前記制御信号は、第１の制御情報及び第２の制御情報を含み、
前記第１の制御情報は、前記合計光量及び前記合成光色の一方を制御するための情報であって、前記第１の位相制御式調光器の導通角に対応し、
前記第２の制御情報は、前記合計光量及び前記合成光色の他方を制御するための情報であって、前記第１の位相制御式調光器の導通角に対応しない
点灯装置。
【請求項２】
第１の位相制御式調光器によって位相制御された交流電圧を受電する第１の入力端と、
第１の発光色を有する第１の光源部に第１の電流を供給する第１の電流供給部と、
前記第１の発光色と異なる第２の発光色を有する第２の光源部に第２の電流を供給する第２の電流供給部と、
前記第１の電流及び前記第２の電流の大きさを制御することにより、前記第１の光源部及び前記第２の光源部から出力される光の合計光量及び合成光色を制御する制御回路と、
前記制御回路に制御信号を供給する信号供給部と、を備え、
前記制御信号は、第１の制御情報及び第２の制御情報を含み、
前記第１の制御情報は、前記合計光量及び前記合成光色の一方を制御するための情報であって、前記第１の位相制御式調光器の導通角に対応し、
前記第２の制御情報は、前記合計光量及び前記合成光色の他方を制御するための情報であって、
前記制御回路は、前記導通角が所定の値以下の場合に、前記第２の電流をゼロとする
点灯装置。
【請求項３】
第１の位相制御式調光器によって位相制御された交流電圧を受電する第１の入力端と、
第１の発光色を有する第１の光源部に第１の電流を供給する第１の電流供給部と、
前記第１の発光色と異なる第２の発光色を有する第２の光源部に第２の電流を供給する第２の電流供給部と、
前記第１の電流及び前記第２の電流の大きさを制御することにより、前記第１の光源部及び前記第２の光源部から出力される光の合計光量及び合成光色を制御する制御回路と、
前記制御回路に制御信号を供給する信号供給部と、を備え、
前記制御信号は、第１の制御情報及び第２の制御情報を含み、
前記第１の制御情報は、前記合計光量及び前記合成光色の一方を制御するための情報であって、前記第１の位相制御式調光器の導通角に対応し、
前記第２の制御情報は、前記合計光量及び前記合成光色の他方を制御するための情報であって、
前記第２の制御情報は、前記位相制御された交流電圧の供給が、当該交流電圧の半周期より長い時間に亘って停止された時間であるオフ時間に対応する値を含む
点灯装置。
【請求項４】
前記制御回路は、前記オフ時間が第１の範囲の時間である場合に、前記第１の制御情報と前記合計光量及び前記合成光色の前記他方との対応関係を変更する
請求項３に記載の点灯装置。
【請求項５】
前記制御回路は、前記第１の制御情報が第１の範囲の値であり、かつ、前記オフ時間が第２の範囲の時間である場合に、前記第１の制御情報と前記合計光量及び前記合成光色の前記他方との対応関係を所定の対応関係に決定する
請求項３又は４に記載の点灯装置。
【請求項６】
前記制御回路は、前記オフ時間が所定の時間以上である場合に、交流電圧の供給が停止される直前における前記第１の制御情報と前記合計光量及び前記合成光色の前記他方との対応関係を記憶し、交流電圧の供給が再開された場合に、当該対応関係に基づいて前記合計光量及び前記合成光色の制御を行う
請求項３〜５のいずれか１項に記載の点灯装置。
【請求項７】
前記合計光量は、前記導通角と正の相関を持つ
請求項１〜６のいずれか１項に記載の点灯装置。
【請求項８】
第１の位相制御式調光器によって位相制御された交流電圧を受電する第１の入力端と、
第１の発光色を有する第１の光源部に第１の電流を供給する第１の電流供給部と、
前記第１の発光色と異なる第２の発光色を有する第２の光源部に第２の電流を供給する第２の電流供給部と、
前記第１の電流及び前記第２の電流の大きさを制御することにより、前記第１の光源部及び前記第２の光源部から出力される光の合計光量及び合成光色を制御する制御回路と、
前記制御回路に制御信号を供給する信号供給部と、を備え、
前記制御信号は、第１の制御情報及び第２の制御情報を含み、
前記第１の制御情報は、前記合計光量及び前記合成光色の一方を制御するための情報であって、前記第１の位相制御式調光器の導通角に対応し、
前記第２の制御情報は、前記合計光量及び前記合成光色の他方を制御するための情報であって、
外部信号が入力される第２の入力端をさらに備え、
前記信号供給部は、前記第２の入力端から前記外部信号を受信し、かつ、前記外部信号から前記第２の制御情報を取得する
点灯装置。
【請求項９】
前記外部信号を含む無線信号を受信して、前記第２の入力端に前記外部信号を出力する受信素子をさらに備える
請求項８に記載の点灯装置。
【請求項１０】
前記外部信号は、第２の位相制御式調光器によって位相制御された交流電圧である
請求項９に記載の点灯装置。
【請求項１１】
前記第１の入力端に接続される配線のうちの１線と、前記第２の入力端に接続される配線のうちの１線とが、共通化されている
請求項８〜１０のいずれか１項に記載の点灯装置。
【請求項１２】
前記制御回路は、前記第１の制御情報に基づいて前記合成光色に前記合計光量を連動させて制御し、かつ、前記第２の制御情報に基づいて前記合計光量を制御する
請求項１〜１１のいずれか１項に記載の点灯装置。
【請求項１３】
請求項１〜１２のいずれか１項に記載の点灯装置と、
前記第１の光源部及び前記第２の光源部と、を備える
照明器具。
【請求項１４】
請求項１３に記載の照明器具と、
前記第１の位相制御式調光器と、を備える
照明システム。
【発明の詳細な説明】
【技術分野】
【０００１】
本発明は、固体発光素子に電流を供給する点灯装置、並びに、その点灯装置を備える照明器具及び照明システムに関する。
【背景技術】
【０００２】
ＬＥＤ（Ｌｉｇｈｔ  Ｅｍｉｔｔｉｎｇ  Ｄｉｏｄｅ）等の固体発光素子を光源とする照明システムにおいて、互いに異なる発光色を持つ複数の固体発光素子を組み合わせて、外部調光信号に応じて調色及び調光を実現する手法が知られている（例えば、特許文献１参照）。
【０００３】
特許文献１には、位相制御調光器と組み合わせたＬＥＤ駆動装置であって、位相制御調光器から出力される波形の導通角に応じて、負荷ＬＥＤから出力される光量と光色とを連動させて制御する手法が開示されている。
【先行技術文献】
【特許文献】
【０００４】
【特許文献１】特開２０１２−１３４００１号公報
【発明の概要】
【発明が解決しようとする課題】
【０００５】
特許文献１に開示のＬＥＤ駆動装置は、外部から２線を接続するだけで、ＬＥＤから出力される光量と光色を連動させて制御しようとしている。しかしながら、特許文献１に開示のＬＥＤ駆動装置では、光量と光色との関係性が１対１に制限されるため、ユーザが、任意の光量及び光色の組み合わせを選択することができない。
【０００６】
そこで、本発明は、上記従来の問題を解決するために、任意の光量及び光色の組み合わせで点灯させることができる点灯装置等を提供することを目的とする。
【課題を解決するための手段】
【０００７】
上記目的を達成するために、本発明の一態様に係る点灯装置は、第１の位相制御式調光器によって位相制御された交流電圧を受電する第１の入力端と、第１の発光色を有する第１の光源部に第１の電流を供給する第１の電流供給部と、第１の発光色と異なる第２の発光色を有する第２の光源部に第２の電流を供給する第２の電流供給部と、第１の電流及び第２の電流の大きさを制御することにより、第１の光源部及び第２の光源部から出力される光の合計光量及び合成光色を制御する制御回路と、制御回路に制御信号を供給する信号供給部と、を備え、制御信号は、第１の制御情報及び第２の制御情報を含み、第１の制御情報は、合計光量及び合成光色の一方を制御するための情報であって、第１の位相制御式調光器の導通角に対応し、第２の制御情報は、合計光量及び合成光色の他方を制御するための情報である。
【発明の効果】
【０００８】
本発明によれば、任意の光量及び光色の組み合わせで点灯させることができる点灯装置等を提供することができる。
【図面の簡単な説明】
【０００９】
【図１】実施の形態１に係る照明システムの機能構成を示すブロック図
【図２】実施の形態１に係る照明器具からから出力される光の合計光量と合成光色との対応関係を示すグラフ
【図３】実施の形態１に係る第１の位相制御式調光器によって生成される電圧波形の一例を示すグラフ
【図４Ａ】実施の形態１に係る整流回路における入出力電圧の時間波形の一例を示すグラフ
【図４Ｂ】実施の形態１に係るＰＷＭ回路における入出力電圧の時間波形の一例を示すグラフ
【図４Ｃ】実施の形態１に係るＲＣ回路における入出力電圧の時間波形の一例を示すグラフ
【図５Ａ】実施の形態１に係る第１の位相制御式調光器によるオフ時間がＴ１未満である場合における制御回路の動作を示す図
【図５Ｂ】実施の形態１に係る第１の位相制御式調光器によるオフ時間がＴ１以上Ｔ２未満である場合における制御回路の動作を示す図
【図５Ｃ】実施の形態１に係る第１の位相制御式調光器によるオフ時間がＴ２以上である場合における制御回路の動作を示す図
【図６】実施の形態１の変形例に係る照明システムの機能構成を示すブロック図
【図７】実施の形態２に係る照明システムの機能構成を示すブロック図
【図８】実施の形態３に係る照明システムの機能構成を示すブロック図
【図９】実施の形態４に係る照明システムの機能構成を示すブロック図
【図１０】実施の形態４に係る照明器具からから出力される光の合計光量と合成光色との対応関係を示すグラフ
【発明を実施するための形態】
【００１０】
以下、本発明の一態様に係る点灯装置及び照明器具について、図面を参照しながら具体的に説明する。
【００１１】
なお、以下で説明する実施の形態は、いずれも本発明の一具体例を示すものである。以下の実施の形態で示される数値、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明する。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
［１−１．照明システム全体の構成］
まず、実施の形態１に係る点灯装置、照明器具及び照明システムの構成について説明する。
【００１４】
図１は、実施の形態１に係る照明システム１の機能構成を示すブロック図である。なお、本図には、この照明システム１に入力される交流電圧を発生する交流電源５（例えば、商用電源）も併せて図示されている。
【００１５】
図１に示されるように、この照明システム１は、第１の位相制御式調光器６及び照明器具１０を備える。
【００１６】
第１の位相制御式調光器６は、供給された交流電圧を位相制御して供給する調光器である。本実施の形態に係る照明システムにおいては、第１の位相制御式調光器６は、交流電源５から第１の位相制御式調光器６に供給される交流電圧のうち、照明器具１０に供給する位相角（導通角）を制御することによって、照明器具１０の調光を行う。さらに、本実施の形態に係る第１の位相制御式調光器６は、位相制御と独立して照明器具１０への電圧の供給の継続及び遮断を操作できるスイッチを備える。当該スイッチにより、ユーザは、照明器具１０の点灯及び消灯を容易に操作できる。
【００１７】
照明器具１０は、任意の光量及び光色で点灯させることができる器具であり、第１の光源部７、第２の光源部８及び点灯装置１１を備える。
【００１８】
第１の光源部７は、第１の発光色を有する光源である。本実施の形態においては、第１の光源部７は、２０００Ｋの色温度の光を出力するＬＥＤモジュールから構成される。
【００１９】
第２の光源部８は、上記第１の発光色と異なる第２の発光色を有する光源である。本実施の形態においては、第２の光源部８は、８０００Ｋの色温度の光を出力するＬＥＤモジュールから構成される。
【００２０】
点灯装置１１は、第１の光源部７及び第２の光源部８の各々に電流を供給することにより、点灯させる装置である。点灯装置１１は、第１の入力端１８、整流回路１２、直流電源回路１３、第１の電流供給部１４、第２の電流供給部１５、信号供給部１６及び制御回路１７を備える。
【００２１】
第１の入力端１８は、第１の位相制御式調光器６によって位相制御された交流電圧を受電する端子である。
【００２２】
整流回路１２は、第１の入力端１８から入力された交流電圧を整流する回路である。整流回路１２は、例えば、ダイオードブリッジなどから構成される。また、整流回路１２は、さらに、高周波ノイズを遮断するフィルタを備えてもよい。
【００２３】
直流電源回路１３は、整流回路１２から入力された脈流を含む電圧を平滑化して直流電圧を生成する回路である。
【００２４】
第１の電流供給部１４は、第１の光源部７に第１の電流を供給する回路である。第１の電流供給部１４は、例えば、ＤＣ／ＤＣコンバータから構成される。第１の電流供給部１４から供給される第１の電流は、制御回路１７によって制御される。
【００２５】
第２の電流供給部１５は、第２の光源部８に第２の電流を供給する回路である。第２の電流供給部１５は、例えば、ＤＣ／ＤＣコンバータから構成される。第２の電流供給部１５から供給される第２の電流は、制御回路１７によって制御される。
【００２６】
信号供給部１６は、制御回路１７に信号を供給する回路である。信号供給部１６は、整流回路１２から出力された電圧が印加される。そして、信号供給部１６は、当該電圧に基づいて第１の制御信号Ｓ１及び第２の制御信号Ｓ２を生成し、かつ、それらの信号を制御回路１７に入力する。信号供給部１６は、整流回路１２から印加された電圧に基づいて第１の制御信号Ｓ１を生成し、かつ、制御回路１７に出力する第１の信号生成部１６１を備える。また、信号供給部１６は、整流回路１２から印加された電圧を第２の制御信号Ｓ２として制御回路１７に入力する。なお、信号供給部１６は、整流回路１２から印加された電圧を、制御回路１７への入力に適した電圧に変換することによって第２の制御信号Ｓ２を生成する電圧変換回路を備えてもよい。当該電圧変換回路は、例えば、分圧回路であってもよい。
【００２７】
第１の信号生成部１６１は、ＰＷＭ（Ｐｕｌｓｅ  Ｗｉｄｔｈ  Ｍｏｄｕｌａｔｉｏｎ）回路１６２及びＲＣ回路１６３を備える。
【００２８】
ＰＷＭ回路１６２は、整流回路１２によって整流された電圧波形に基づいてＰＷＭ信号を生成する回路である。ＰＷＭ回路１６２は、印加される電圧と判定基準値とを比較し、比較結果に基づいてパルス信号を出力する。ここで、出力される当該パルス信号は、第１の位相制御式調光器６によって位相制御された交流電圧に同期したＰＷＭ信号である。
【００２９】
ＲＣ回路１６３は、ＰＷＭ回路１６２から入力されたＰＷＭ信号を平滑化して直流電圧である第１の制御信号Ｓ１を制御回路１７に入力する。
【００３０】
信号供給部１６から制御回路１７に入力される第１の制御信号Ｓ１は、第１の位相制御式調光器６による調光の程度（導通角）に関する情報である第１の制御情報を制御回路１７に供給するために用いられる。また、第２の制御信号Ｓ２は、第１の位相制御式調光器６に備えられたスイッチがオフ（非導通状態）とされた期間に関する情報である第２の制御情報を制御回路１７に供給するために用いられる。
【００３１】
制御回路１７は、第１の光源部７に供給される第１の電流及び第２の光源部８に供給される第２の電流の大きさを制御することにより、第１の光源部７及び第２の光源部８から出力される光の合計光量及び合成光色を制御する回路である。制御回路１７は、ＭＣＵ（Ｍｉｃｒｏ−Ｃｏｎｔｒｏｌ  Ｕｎｉｔ）から構成される。例えば、制御回路１７として、ルネサスエレクトロニクス製マイクロプロセッサＲＬ７８／Ｉ１Ａを用いてもよい。制御回路１７は、信号供給部１６から入力される制御信号に基づいて制御を行う。例えば、制御信号をＡＤ変換することによって、デジタル信号に変換し、当該デジタル信号に基づいて制御を行う。また、制御回路１７は、上記合計光量と上記合成光色とを連動させて変化させるための特性テーブルを内部のメモリに記憶している。ここで、当該特性テーブルは、第１の制御情報と、第１の電流供給部１４への出力信号と、第２の電流供給部１５への出力信号との関係を示すテーブルである。また、当該特性テーブルは複数種類記憶されており、第２の制御情報に基づいて、一つの特性テーブルが選択される。そして、制御回路１７は、選択された特性テーブルに基づいて、第１の制御情報に対応する、第１の電流供給部１４及び第２の電流供給部１５への出力信号を、それぞれ第１の電流供給部１４及び第２の電流供給部１５へと出力する。
【００３２】
［１−２．点灯装置の動作］
次に、本実施の形態に係る点灯装置１１の動作について説明する。
【００３３】
まず、点灯装置１１の合計光量及び合成光色の制御の概要について説明する。
【００３４】
上述のとおり、制御回路１７は、第１の制御情報と、第１の電流供給部１４への出力信号と、第２の電流供給部１５への出力信号との関係を示す複数の特性テーブルを記憶している。当該特性テーブルに基づいて決定される照明器具１０から出力される光の合計光量と合成光色との対応関係について図２を参照しながら説明する。
【００３５】
図２は、本実施の形態に係る照明器具１０からから出力される光の合計光量と合成光色との対応関係を示すグラフである。図２のグラフにおいて、実線及び破線によって、二つの特性テーブルに対応する合計光量と合成光色との対応関係が示されている。図２に示された合計光量と合成光色との対応関係は、人間が心地よく感じる対応関係となるように決定されている。
【００３６】
図２に示されるように、複数の特性テーブルによって、合計光量と合成光色とが１対１で対応する複数の対応関係が定められている。そして、制御回路１７に入力される第２の制御信号Ｓ２に含まれる第２の制御情報に基づいて、上記複数の特性テーブルのうちの一つが選択される。ここで、制御回路１７は、選択された特性テーブルから、第１の制御情報に対応する第１の電流供給部１４及び第２の電流供給部１５への各出力信号を読み出す。そして、制御回路１７は、各出力信号を第１の電流供給部１４及び第２の電流供給部１５にそれぞれ入力する。これにより、第１の光源部７及び第２の光源部８から所定の合計光量及び合成光色の光が出力される。
【００３７】
以上のように、本実施の形態に係る照明器具１０は、第１及び第２の制御情報に基づいて合計光量及び合成光色が制御される。なお、図２に示されるように、本実施の形態では、制御回路１７は、合成光色の色温度が、合計光量と正の相関を有する特性テーブルを複数備えている。また、各特性テーブルは、合成光色に対応する合計光量がそれぞれ異なる。例えば、図２に示される例では、実線で示された特性は、破線で示された特性における各合成光色に対応する合計光量を２倍にした特性を有する。
【００３８】
また、本実施の形態では、第２の制御情報に基づいて、特性テーブルが選択される。換言すると、本実施の形態では、第２の制御情報に基づいて、合計光量が制御される。
【００３９】
また、本実施の形態では、第１の制御情報に基づいて合成光色が制御され、その結果、合成光色が変化すると、特性テーブルに基づいて合計光量も連動して変化する。したがって、第１の制御情報に基づいて、合成光色及び合計光量が制御されると言える。
【００４０】
次に、点灯装置１１が第１及び第２の制御情報を取得する動作について図面を参照しながら説明する。当該動作のうち、まず、第１の位相制御式調光器６における交流電圧の位相制御について図３を参照しながら説明する。
【００４１】
図３は、本実施の形態に係る第１の位相制御式調光器６によって生成される電圧波形の一例を示すグラフである。ここで、図３に示されたグラフの横軸は位相を示す。また、図３のグラフにおいて、位相制御される前の交流電圧の波形は破線で、位相制御された後の電圧波形は実線で、それぞれ示されている。
【００４２】
図３に示されるように、交流電圧の半周期毎に、第１の位相制御式調光器６から交流電圧がそのまま出力される導通角の位相が存在し、その他の位相においては、第１の位相制御式調光器６から交流電圧は出力されない。第１の位相制御式調光器６は、導通角の大きさを制御することにより出力電圧を調整し、当該出力電圧を点灯装置１１に入力することで、調光を行う。
【００４３】
次に、整流回路１２の動作について図４Ａを参照しながら説明する。
【００４４】
図４Ａは、本実施の形態に係る整流回路１２における入出力電圧の時間波形の一例を示すグラフである。ここで、図４Ａのグラフにおいて、入力電圧波形が破線で、出力電圧波形が実線で、それぞれ示されている。
【００４５】
図４Ａに示されるように、整流回路１２は、入力された位相制御された交流電圧を、整流して出力する。
【００４６】
次に、ＰＷＭ回路１６２の動作について図４Ｂを参照しながら説明する。
【００４７】
図４Ｂは、本実施の形態に係るＰＷＭ回路１６２における入出力電圧の時間波形の一例を示すグラフである。ここで、図４Ｂのグラフにおいて、入力電圧波形が破線で、出力電圧波形が実線で、それぞれ示されている。なお、出力電圧波形のピーク電圧は、当該出力電圧波形が入力される制御回路１７の特性に応じて定められる。
【００４８】
図４Ｂに示されるように、ＰＷＭ回路１６２において、入力電圧が、判定基準値と比較される。なお、図４Ｂのグラフ中の一点鎖線が判定基準値のレベルを示す。そして、入力電圧の方が大きい場合には、ハイレベルの電圧がＰＷＭ回路１６２から出力される。また、入力電圧の方が判定基準値より小さい場合には、ローレベルの電圧がＰＷＭ回路１６２から出力される。これにより、図４Ｂに示されるようなＰＷＭ信号がＰＷＭ回路１６２から出力される。
【００４９】
次に、ＲＣ回路１６３の動作について図４Ｃを参照しながら説明する。
【００５０】
図４Ｃは、本実施の形態に係るＲＣ回路１６３における入出力電圧の時間波形の一例を示すグラフである。ここで、図４Ｃのグラフにおいて、入力電圧波形が破線で、出力電圧波形が実線で、それぞれ示されている。
【００５１】
図４Ｃに示されるように、ＲＣ回路１６３に入力されたＰＷＭ信号は、ＲＣ回路１６３によって平滑化されて、直流電圧として出力される。したがって、制御回路１７には、図４Ｃに示されるような直流電圧からなる第１の制御信号Ｓ１が入力される。ここで、当該直流電圧は、第１の位相制御式調光器６の導通角に対応する値となる。制御回路１７は、第１の制御信号Ｓ１の直流電圧を検出して、当該直流電圧の値を第１の制御情報として取得する。なお、上述のとおり、本実施の形態では、第１の制御情報は、第１の位相制御式調光器６の導通角に対応する値となる。また、合成光色及び合計光量は、導通角と正の相関を有するように制御される。
【００５２】
次に、制御回路１７が、第２の制御信号Ｓ２から第２の制御情報を取得する動作について説明する。
【００５３】
図１に示されるように、制御回路１７には、整流回路１２から出力された信号が第２の制御信号Ｓ２として入力される。制御回路１７は、第２の制御信号Ｓ２に基づいて第１の位相制御式調光器６のスイッチがオフ状態である時間を検出する。制御回路１７は、当該時間の検出のために、入力された第２の制御信号Ｓ２の電圧が所定値以下となる時間間隔を監視する。ここで、第１の位相制御式調光器６のスイッチがオンされていれば、第２の制御信号Ｓ２の電圧が所定値以下となる時間間隔は、交流電源５の半周期以下となり、スイッチがオフされていれば、当該時間間隔は交流電源５の半周期より長くなる。このことを利用して、制御回路１７は、第２の制御信号Ｓ２の電圧が所定値以下である時間間隔が、交流電源５の半周期より長い場合に、第１の位相制御式調光器６のスイッチがオフ状態であると判断して、スイッチがオフ状態である時間（オフ時間Ｔｏｆｆ）を検出する。以上のようにして検出された第１の位相制御式調光器６のスイッチがオフ状態であるオフ時間Ｔｏｆｆを、制御回路１７は、第２の制御情報として取得する。
【００５４】
ここで、第２の制御情報によって、制御回路１７が上述の複数の特性テーブルのいずれかを選択する制御例について図５Ａ、５Ｂ及び５Ｃを参照しながら説明する。
【００５５】
図５Ａ、５Ｂ及び５Ｃは、それぞれ、第１の位相制御式調光器６によるオフ時間Ｔｏｆｆが、Ｔ１未満、Ｔ１以上Ｔ２未満、及び、Ｔ２以上である場合における制御回路１７の動作を示す図である。図５Ａ、５Ｂ及び５Ｃに示される例において、第１の位相制御式調光器６のスイッチがオフされる前には、特性テーブルＣ１が選択されている。
【００５６】
ここで、点灯装置１１の制御回路１７は、第１の位相制御式調光器６のスイッチがオフされたことを検出すると、第１の電流供給部１４及び第２の電流供給部１５に、それぞれ、第１の光源部７及び第２の光源部８への電流供給を停止させる。これにより、点灯装置１１は、点灯オフ状態となり、照明器具１０からの光の出力は停止される。しかしながら、制御回路１７は、第１の位相制御式調光器６のスイッチがオフされても、オフ時間Ｔｏｆｆが所定の時間（後述する第２の時間）を超えるまでは、制御を終了せずに待機する（図５Ａ、５Ｂ及び５Ｃ参照）。
【００５７】
図５Ａに示されるように、オフ時間Ｔｏｆｆが第１の時間Ｔ１未満である場合には、制御回路１７は、ユーザが意図してスイッチをオフしたとは判断せず、特性テーブルＣ１を選択した状態のまま維持する。ここで、第１の時間Ｔ１は、例えば、０．２秒に設定される。
【００５８】
図５Ｂに示されるように、オフ時間Ｔｏｆｆが第１の時間Ｔ１以上で第２の時間Ｔ２（＞Ｔ１）未満の範囲の値である場合には、制御回路１７は、ユーザが特性テーブルを変更するために意図的にスイッチをオフ及びオンしたと判断して、選択する特性テーブルをＣ１からＣ２に変更する。そして、制御回路１７は特性テーブルＣ２に基づいて、合計光量及び合成光色を制御する。ここで、第２の時間Ｔ２は、例えば、１秒に設定される。なお、特性テーブルの変更方法は、特に限定されないが、例えば、複数の特性テーブルの選択順序を定めて、上記スイッチ操作が行われた場合に当該順序に従って選択してもよい。
【００５９】
図５Ｃに示されるように、オフ時間Ｔｏｆｆが第２の時間Ｔ２以上である場合には、制御回路１７は、ユーザによって通常の消灯操作がなされたと判断する。そして、制御回路１７は、オフ時間Ｔｏｆｆが第２の時間Ｔ２以上になった場合に、その時点で選択されている特性テーブル（図５Ｃの場合、特性テーブルＣ１）をメモリに記憶して、制御動作を停止する。制御回路１７は、次回点灯する際に、メモリを参照して記憶された特性テーブルを選択する。
【００６０】
なお、以上で述べた例では、特性テーブルを選択する際に、第２の制御情報だけを用いたが、第１の制御情報も併せて用いてもよい。例えば、第１の制御情報に対応する導通角が所定の範囲の値であり、かつ、第２の制御情報に対応するオフ時間Ｔｏｆｆが所定の範囲の時間である場合に、所定の特性テーブルを選択する構成としてもよい。当該構成によれば、例えば、複数の点灯装置１１を一つの第１の位相制御式調光器６によって制御する場合に、各点灯装置１１において選択される特性テーブルを所定の特性テーブルに揃えることができる。すなわち、各点灯装置１１の合計光量と合成光色との対応関係を所定の対応関係に揃えることができる。
【００６１】
［１−３．実施の形態１の変形例］
次に、本実施の形態に係る照明システム１の変形例について、図６を参照しながら説明する。
【００６２】
図６は、本変形例に係る照明システム１ａの機能構成を示すブロック図である。
【００６３】
図６に示されるように、本変形例に係る照明システム１ａは、図１に示された照明システム１と同様に、第１の位相制御式調光器６及び照明器具１０ａを備える。また、本変形例に係る照明器具１０ａは、図１に示された照明器具１０と同様に、点灯装置１１ａ、並びに、第１の光源部７及び第２の光源部８を備える。本変形例に係る点灯装置１１ａは、図１に示された点灯装置１１と、信号供給部１６ａ及び制御回路１７ａの構成において相違し、その他の点において一致する。図６に示されるように、本変形例に係る点灯装置１１ａでは、信号供給部１６ａは、第１の信号生成部１６１ａのＰＷＭ回路１６２から出力されるＰＷＭ信号を第２の制御信号Ｓ２として制御回路１７ａに入力する。また、制御回路１７ａは、第２の制御信号Ｓ２として入力されたＰＷＭ信号のエッジ間隔を読み取る機能を有する。ＰＷＭ回路１６２から出力されるＰＷＭ信号は、位相制御された交流電圧の全波整流電圧と同期しているため、例えば、ＰＷＭ信号の連続するパルスの立ち上がりのエッジ間隔は、交流電圧の半周期と概ね等しい。よって、制御回路１７ａは、当該エッジ間隔が、交流電圧の半周期より大きい場合には、第１の位相制御式調光器６のスイッチがオフされたと判断する。これにより、変形例に係る点灯装置１１ａは、上記の実施の形態と同様に第２の制御信号Ｓ２から第２の制御情報を取得することができる。
【００６４】
［１−４．効果等］
以上に述べたように、本実施の形態に係る点灯装置１１及び１１ａは、第１の位相制御式調光器６によって位相制御された交流電圧を受電する第１の入力端１８と、第１の発光色を有する第１の光源部７に第１の電流を供給する第１の電流供給部１４と、第１の発光色と異なる第２の発光色を有する第２の光源部８に第２の電流を供給する第２の電流供給部１５と、第１の電流及び第２の電流の大きさを制御することにより、第１の光源部７及び第２の光源部８から出力される光の合計光量及び合成光色を制御する制御回路１７及び１７ａと、制御回路１７及び１７ａに制御信号を供給する信号供給部１６と、を備える。また、制御信号は、第１の制御情報及び第２の制御情報を含み、第１の制御情報は、合成光色を制御するための情報であって、第１の位相制御式調光器６の導通角に対応し、第２の制御情報は、合計光量を制御するための情報である。
【００６５】
これにより、点灯装置１１及び１１ａは、第１の位相制御式調光器６の導通角に対応する第１の制御情報に基づいて、合成光色を制御し、第２の制御情報に基づいて合計光量を制御することができる。すなわち、点灯装置１１及び１１ａは、第１の制御情報及び第２の制御情報が調整されることにより、任意の合計光量及び合成光色の光を出力することができる。
【００６６】
また、点灯装置１１及び１１ａにおいて、合計光量は、導通角と正の相関を持つ。
【００６７】
これにより、点灯装置１１及び１１ａは、一般的な調光可能な点灯装置と同様に、第１の位相制御式調光器６の導通角を大きくするほど、大きい光量を得ることができる。さらに、点灯装置１１及び１１ａにおいては、導通角を調整することにより、合成光色も連動して変更できる。
【００６８】
また、点灯装置１１及び１１ａにおいて、第２の制御情報は、位相制御された交流電圧の供給が、交流電圧の半周期より長い時間に亘って停止された時間であるオフ時間に対応する値を含む。
【００６９】
これにより、点灯装置１１及び１１ａは、第１の位相制御式調光器６だけによって、任意の合計光量及び合成光色の光に調整することができる。このため、点灯装置１１及び１１ａにおいては、簡単な構成で、合計光量及び合成光色を任意に調整することができる。
【００７０】
また、点灯装置１１及び１１ａにおいて、制御回路１７及び１７ａは、オフ時間が第１の範囲の時間である場合に、第１の制御情報と合計光量との対応関係を変更する。
【００７１】
これにより、点灯装置１１及び１１ａは、第１の位相制御式調光器６のオンオフ操作をすることにより、合成光色と合計光量との対応関係を変更することができる。
【００７２】
また、点灯装置１１及び１１ａにおいて、前記制御回路１７及び１７ａは、第１の制御情報が第１の範囲の値であり、かつ、オフ時間が第２の範囲の時間である場合に、第１の制御情報と合計光量との対応関係を所定の対応関係に決定する。
【００７３】
これにより、点灯装置１１及び１１ａは、複数の点灯装置１１及び１１ａを一つの第１の位相制御式調光器６で制御する場合に、すべての点灯装置１１及び１１ａにおける合計光量と合成光色との対応関係を所定の対応関係に揃えることができる。
【００７４】
また、点灯装置１１及び１１ａにおいて、制御回路１７及び１７ａは、オフ時間が所定の時間以上である場合に、交流電圧の供給が停止される直前における第１の制御情報と合計光量との対応関係を記憶し、交流電圧の供給が再開された場合に、当該対応関係に基づいて合計光量及び合成光色の制御を行う。
【００７５】
これにより、点灯装置１１及び１１ａは、消灯前に使用していた合計光量と合成光色との対応関係を記憶することができるため、次回に点灯する際に、消灯前の対応関係で点灯することができる。
【００７６】
また、点灯装置１１及び１１ａにおいて、制御回路１７及び１７ａは、第１の制御情報に基づいて合成光色に合計光量を連動させて制御し、かつ、第２の制御情報に基づいて合計光量を制御する。
【００７７】
これにより、点灯装置１１及び１１ａにおいて、第２の制御情報により第１の制御情報に対応する合成光色及び合計光量を連動させて制御することができる。したがって、点灯装置１１及び１１ａは、予め所望の合計光量と合成光色との対応関係を定めておくことにより、所望の合計光量と合成光色とを組み合わせた光を出力することができる。例えば、合計光量と合成光色との対応関係を、人間にとって心地よく感じられる対応関係となるように設定することにより、点灯装置１１及び１１ａは、人間にとって心地よく感じられる合計光量と合成光色との組み合わせの光を出力することができる。
【００７８】
（実施の形態２）
次に、実施の形態２に係る点灯装置、照明器具及び照明システムの構成について説明する。
【００７９】
上記実施の形態１に係る点灯装置１１においては、第２の制御情報が第１の位相制御式調光器６のオフ時間Ｔｏｆｆによって定められた。本実施の形態では、これに代えて、別の調光器によって、第２の制御情報を定める形態について説明する。
【００８０】
以下、本実施の形態に係る点灯装置等について、上記実施の形態１に係る点灯装置１１と相違する構成を中心に説明し、共通する構成については説明を省略する。
【００８１】
［２−１．照明システム全体の構成］
まず、本実施の形態に係る照明システム全体の構成について、図７を参照しながら説明する。
【００８２】
図７は、本実施の形態に係る照明システム１ｂの機能構成を示すブロック図である。
【００８３】
図７に示されるように、本実施の形態に係る照明システム１ｂは、図１に示された照明システム１と同様に、第１の位相制御式調光器６及び照明器具１０ｂを備え、さらに、信号線式調光器９を備える。
【００８４】
信号線式調光器９は、信号線を介して調光信号を生成し、かつ、出力する信号生成器である。本実施の形態では、信号線式調光器９は、周波数が一定でデューティ比が可変のＰＷＭ信号を出力する。
【００８５】
また、図７に示されるように、本実施の形態に係る照明器具１０ｂは、図１に示された照明器具１０と同様に点灯装置１１ｂ、並びに、第１の光源部７及び第２の光源部８を備える。本実施の形態に係る点灯装置１１ｂは、図１に示された点灯装置１１と、第２の入力端１９を備える点、並びに、信号供給部１６ｂ及び制御回路１７ｂの構成において相違し、その他の点において一致する。
【００８６】
第２の入力端１９は、外部信号が入力される端子である。本実施の形態に係る第２の入力端１９は、信号線式調光器９から入力された外部信号を、点灯装置１１ｂの信号供給部１６ｂに入力する。
【００８７】
信号供給部１６ｂは、制御回路１７ｂに信号を供給する回路である。信号供給部１６ｂは、第１の信号生成部１６１及び第２の信号生成部１６５を備える。第１の信号生成部１６１は、上記実施の形態１に係る第１の信号生成部１６１と同一である。第２の信号生成部１６５は、信号線式調光器９から第２の入力端１９を介して入力された外部信号に基づいて、第２の制御信号Ｓ２を生成し、制御回路１７ｂに入力する回路である。第２の信号生成部１６５は、整流回路１６６及びＲＣ回路１６８を備える。
【００８８】
整流回路１６６は、信号線式調光器９から第２の入力端１９を介して入力されたＰＷＭ信号を整流する回路である。
【００８９】
ＲＣ回路１６８は、整流回路１６６から入力されたＰＷＭ信号を平滑化し、直流電圧である第２の制御信号Ｓ２を制御回路１７ｂに入力する。
【００９０】
制御回路１７ｂは、第２の制御信号Ｓ２として入力される直流電圧を検出する点において、上記実施の形態１に係る制御回路１７と相違し、その他の点において一致する。制御回路１７ｂは、第２の制御信号Ｓ２である直流電圧の値を第２の制御情報として取得する。制御回路１７ｂのその他の構成については、制御回路１７と同様であるため説明を省略する。
【００９１】
［２−２．点灯装置の動作］
次に、本実施の形態に係る点灯装置１１ｂの動作について説明する。
【００９２】
本実施の形態に係る点灯装置１１ｂの動作は、主に、第２の制御信号Ｓ２に対応する外部信号が信号線式調光器９から入力される点において、上記実施の形態１に係る点灯装置１１の動作と相違する。本実施の形態に係る点灯装置１１ｂでは、信号線式調光器９から入力されるＰＷＭ信号に対応する直流電圧である第２の制御信号が、第２の信号生成部１６５において生成され、制御回路１７ｂに入力される。そこで、制御回路１７ｂは、当該直流電圧の値を第２の制御情報として検出する。そして、制御回路１７ｂは、第２の制御情報に基づいて特性テーブルを選択する。
【００９３】
ここで、上述のように、第２の制御情報は、ＰＷＭ信号に対応する直流電圧の値であるため、第２の制御情報の情報量は、ＰＷＭ信号の分解能に依存する。そのため、上記実施の形態１に係る点灯装置１１より、第２の制御情報の情報量が多い。したがって、本実施の形態では、制御の自由度が高い。例えば、本実施の形態では、上記実施の形態１より多くの特性テーブルを制御回路１７ｂのメモリに記憶して、それらの特性テーブルの中から所望の特性テーブルを容易に選択することができる。また、制御回路１７ｂは、特性テーブルに代えて、第１の制御情報と第２の制御情報とに基づいて、第１の電流供給部１４への出力信号と、第２の電流供給部１５への出力信号とを算出するための計算式をメモリに記憶していてもよい。これにより、高い分解能で合成光色及び合計光量を制御することができる。なお、本実施の形態に係る点灯装置１１ｂにおいても、上記実施の形態１に係る点灯装置１１と同様に、消灯前に使用していた特性テーブルを記憶して、再度点灯する際に用いる構成としてもよい。
【００９４】
［２−３．効果等］
以上のように、本実施の形態に係る点灯装置１１ｂは、外部信号が入力される第２の入力端１９をさらに備え、信号供給部１６ｂは、第２の入力端１９から外部信号を受信し、かつ、外部信号から第２の制御情報を取得する。
【００９５】
これにより、点灯装置１１ｂは、高い分解能で合計光量及び合成光色を制御することができる。
【００９６】
（実施の形態３）
次に、実施の形態３に係る点灯装置、照明器具及び照明システムについて説明する。
【００９７】
上記実施の形態２では、信号線式調光器９を用いて外部信号を点灯装置１１ｂに入力する構成が示された。点灯装置１１ｂでは、外部から接続される線が最低でも４本必要となる。本実施の形態では、外部信号を第２の位相制御式調光器によって点灯装置に入力することにより、外部から点灯装置へ接続する線を３本にできる構成を示す。
【００９８】
以下、本実施の形態に係る点灯装置等について、上記実施の形態１に係る点灯装置１１と相違する構成を中心に説明し、共通する構成については説明を省略する。
【００９９】
［３−１．照明システム全体の構成］
まず、本実施の形態に係る照明システム全体の構成について、図８を参照しながら説明する。
【０１００】
図８は、本実施の形態に係る照明システム１ｃの機能構成を示すブロック図である。
【０１０１】
図８に示されるように、本実施の形態に係る照明システム１ｃは、図１に示された照明システム１と同様に、第１の位相制御式調光器６及び照明器具１０ｃを備え、さらに、第２の位相制御式調光器６ｃを備える。
【０１０２】
第２の位相制御式調光器６ｃは、第１の位相制御式調光器６と同様に、供給された交流電圧を位相制御して供給する調光器である。本実施の形態では、第２の位相制御式調光器６ｃは、第２の制御情報を含む外部信号を生成し、照明器具１０ｃに入力する。
【０１０３】
また、図８に示されるように、本実施の形態に係る照明器具１０ｃは、図１に示された照明器具１０と同様に点灯装置１１ｃ、並びに、第１の光源部７及び第２の光源部８を備える。本実施の形態に係る点灯装置１１ｃは、図１に示された点灯装置１１と、第１の入力端１８ａの構成、第２の入力端１９ａが追加されている点、並びに、信号供給部１６ｃ及び制御回路１７ｃの構成において相違し、その他の点において一致する。
【０１０４】
第１の入力端１８ａは、第１の位相制御式調光器６によって位相制御された交流電圧、を受電する端子である。第１の入力端１８ａは、３線用の入力端子のうち２線分から構成される。
【０１０５】
第２の入力端１９ａは、第２の位相制御式調光器６ｃによって位相制御された交流電圧を受電する端子である。第２の入力端１９ａは、３線用の入力端子のうち２線分から構成される。また、図８に示されるように、第１の入力端１８ａに接続される配線のうち１線と第２の入力端１９ａに接続される配線のうち１線とが共通化されている。このような構成は、図８に示されるように、交流電源５の２本の出力線のうち、一方に第１の位相制御式調光器６及び第２の位相制御式調光器６ｃを接続し、他方を帰還用線として第１の位相制御式調光器６及び第２の位相制御式調光器６ｃで共有することによって実現できる。
【０１０６】
信号供給部１６ｃは、制御回路１７ｃに信号を供給する回路である。信号供給部１６ｃは、第１の信号生成部１６１及び第２の信号生成部１６５ｃを備える。第１の信号生成部１６１は、上記実施の形態１に係る第１の信号生成部１６１と同一である。また、第２の信号生成部１６５ｃは、第２の位相制御式調光器６ｃから第２の入力端１９ａを介して入力された外部信号に基づいて、第２の制御信号Ｓ２を生成し、制御回路１７ｃに入力する回路である。第２の信号生成部１６５ｃは、整流回路１６６ｃ、ＰＷＭ回路１６７及びＲＣ回路１６８ｃを備える。整流回路１６６ｃ、ＰＷＭ回路１６７及びＲＣ回路１６８ｃは、それぞれ、整流回路１２、ＰＷＭ回路１６２及びＲＣ回路１６３と同様の回路から構成される。これにより、第２の信号生成部１６５ｃは、第２の位相制御式調光器６ｃによって位相制御された交流電圧に基づいて、直流電圧からなる第２の制御信号Ｓ２を生成し、制御回路１７ｃに入力する。
【０１０７】
制御回路１７ｃは、上記実施の形態２に係る制御回路１７ｂと同様の構成を有するため、その説明を省略する。
【０１０８】
［３−２．点灯装置の動作］
次に、本実施の形態に係る点灯装置１１ｃの動作について説明する。
【０１０９】
本実施の形態に係る点灯装置１１ｃの動作は、主に、第２の制御信号Ｓ２に対応する外部信号が第２の位相制御式調光器６ｃから入力される点において、上記実施の形態１に係る点灯装置１１の動作と相違する。本実施の形態に係る点灯装置１１ｃでは、第２の位相制御式調光器６ｃから入力される位相制御された交流電圧に対応する直流電圧である第２の制御信号が第２の信号生成部１６５ｃにおいて生成され、制御回路１７ｃに入力される。そこで、制御回路１７ｃは、当該直流電圧の値を第２の制御情報として検出する。そして、制御回路１７ｃは、第２の制御情報に基づいて特性テーブルを選択する。
【０１１０】
本実施の形態に係る点灯装置１１ｃでは、第２の制御情報は、位相制御された交流電圧（すなわち、第２の位相制御式調光器６ｃの導通角）に対応する直流電圧の値であるため、第２の制御情報の情報量は、位相制御の分解能に依存する。そのため、上記実施の形態１に係る点灯装置１１より、第２の制御情報の情報量が多い。したがって、本実施の形態に係る点灯装置１１ｃは、上記実施の形態２に係る点灯装置１１ｂと同様に、自由度の高い制御を行うことができる。なお、当該制御の詳細については、上記実施の形態２と同様であるため、説明を省略する。
【０１１１】
［３−３．効果等］
以上のように、本実施の形態に係る点灯装置１１ｃは、外部信号が入力される第２の入力端１９ａをさらに備え、信号供給部１６ｃは、第２の入力端１９ａから外部信号を受信し、かつ、外部信号から第２の制御情報を取得する。また、外部信号は、第２の位相制御式調光器６ｃによって位相制御された交流電圧である。
【０１１２】
これにより、点灯装置１１ｃは、高い分解能で合成光色及び合計光量を制御することができる。
【０１１３】
また、点灯装置１１ｃは、第１の入力端１８ａに接続される配線のうちの１線と、第２の入力端１９ａに接続される配線のうちの１線とが、共通化されている。
【０１１４】
これにより、点灯装置１１ｃは、外部から接続される線を３本にすることができるため、構成が簡易化される。
【０１１５】
（実施の形態４）
次に、実施の形態に４に係る点灯装置、照明器具及び照明システムについて説明する。
【０１１６】
上記各実施の形態に係る点灯装置においては、図２に示されるような、合計光量と合成光色との対応関係を有し、第１の制御情報に基づいて合計光量と合成光色とが連動して制御された。本実施の形態においては、合計光量と合成光色とを個別に制御できる点灯装置が示される。
【０１１７】
以下、本実施の形態に係る点灯装置等について、上記実施の形態１に係る点灯装置１１と相違する構成を中心に説明し、共通する構成については説明を省略する。
【０１１８】
［４−１．照明システム全体の構成］
まず、本実施の形態に係る照明システム全体の構成について、図９を参照しながら説明する。
【０１１９】
図９は、本実施の形態に係る照明システム１ｄの機能構成を示すブロック図である。
【０１２０】
図９に示されるように、本実施の形態に係る照明システム１ｄは、図１に示された照明システム１と同様に、第１の位相制御式調光器６及び照明器具１０ｄを備える。
【０１２１】
また、図９に示されるように、本実施の形態に係る照明器具１０ｄは、図１に示された照明器具１０と同様に点灯装置１１ｄ、並びに、第１の光源部７及び第２の光源部８を備える。本実施の形態に係る点灯装置１１ｄは、図１に示された点灯装置１１と、制御回路１７ｄの構成において相違し、その他の点において一致する。
【０１２２】
制御回路１７ｄは、上記実施の形態１に係る制御回路１７と、メモリ内に記憶された複数の特性テーブルの内容において相違し、その他の点において一致する。上記実施の形態１に係る制御回路１７に記憶された複数の特性テーブルと同様に、制御回路１７ｄのメモリに記憶された複数の特性テーブルも、それぞれ、第１の制御情報と、第１の電流供給部１４への出力信号と、第２の電流供給部１５への出力信号との関係を示す。ただし、本実施の形態に係る制御回路１７ｄのメモリに記憶された複数の特性テーブルは、各特性テーブルが一つの合成光色の光を出力するためのテーブルであり、一つの特性テーブルにおいては、主に、合計光量だけが変化する。また、制御回路１７ｄによれば、第２の制御情報に基づいて、一つの特性テーブルが選択され、第１の制御情報に基づいて、合計光量が決定される。
【０１２３】
したがって、制御回路１７ｄによれば、第１の制御情報及び第２の制御情報に基づいて、それぞれ主に合計光量及び合成光色が制御されると言える。なお、制御回路１７ｄが記憶する複数の特性テーブルについては、以下の点灯装置１１ｄの動作の説明において詳述する。
【０１２４】
［４−２．点灯装置の動作］
次に、本実施の形態に係る点灯装置１１ｄの動作について説明する。
【０１２５】
ここでは、本実施の形態に係る点灯装置１１ｄと上記実施の形態１に係る点灯装置１１との相違点である特性テーブルに関する点について主に説明する。
【０１２６】
まず、制御回路１７ｄに記憶される複数の特性テーブルに基づいて決定される照明器具１０ｄから出力される光の合計光量と合成光色との対応関係について図１０を参照しながら説明する。
【０１２７】
図１０は、本実施の形態に係る照明器具１０ｄからから出力される光の合計光量と合成光色との対応関係を示すグラフである。図１０のグラフにおいて、実線及び破線によって、二つの特性テーブルに対応する合計光量と合成光色との対応関係が示されている。
【０１２８】
図１０に示されるように、一つの特性テーブルに対応する合成光色は、合計光量のごく小さい領域を除いてほぼ同一である。また、図１０に示されるように、本実施の形態に係る点灯装置１１ｄでは、第１の制御情報に基づいて、主に、合計光量が制御される。
【０１２９】
したがって、本実施の形態に係る点灯装置１１ｄでは、第２の制御情報に基づいて、一つの特性テーブル、すなわち、一つの合成光色が選択され、第２の制御情報に基づいて、合計光量が制御される。
【０１３０】
なお、図１０に示される合計光量と合成光色との対応関係において、ごく小さい合計光量の領域では、合成光色が２０００Ｋとなるように制御される。すなわち、点灯装置１１ｄは、２０００Ｋの色温度で発光する第１の光源部７だけに電流を供給する。このような制御を行う理由は、照明器具１０ｄから出力される光量が小さい場合には、２０００Ｋ程度の低い色温度の光を出力する方が人間にとって心地よく感じられることが知られているからである。
【０１３１】
なお、本実施の形態に係る点灯装置１１ｄのその他の動作は、上記実施の形態１に係る点灯装置１１の動作と同様であるため、説明を省略する。
【０１３２】
［４−３．効果等］
以上に述べたように、本実施の形態に係る点灯装置１１ｄは、第１の位相制御式調光器６によって位相制御された交流電圧を受電する第１の入力端１８と、第１の発光色を有する第１の光源部７に第１の電流を供給する第１の電流供給部１４と、第１の発光色と異なる第２の発光色を有する第２の光源部８に第２の電流を供給する第２の電流供給部１５と、第１の電流及び第２の電流の大きさを制御することにより、第１の光源部７及び第２の光源部８から出力される光の合計光量及び合成光色を制御する制御回路１７ｄと、制御回路１７ｄに制御信号を供給する信号供給部１６と、を備える。また、制御信号は、第１の制御情報及び第２の制御情報を含み、第１の制御情報は、合計光量を制御するための情報であって、第１の位相制御式調光器６の導通角に対応し、第２の制御情報は、合成光色を制御するための情報である。
【０１３３】
これにより、点灯装置１１ｄにおいて、合計光量と合成光色とを個別に制御することができるため、所望の合計光量と合成光色との組み合わせを容易に実現することができる。
【０１３４】
また、点灯装置１１ｄにおいて、制御回路１７ｄは、導通角が所定の値以下の場合に第２の電流をゼロとする。
【０１３５】
これにより、点灯装置１１ｄにおいて、第２の光源部８の出力光の色温度より、出力光の色温度が低い光源を第１の光源部７として用いれば、出力される光の光量が小さい場合に、低い色温度の光を出力するため、ユーザにとって心地よく感じられる調光及び調色を実現することができる。
【０１３６】
また、点灯装置１１ｄにおいて、制御回路１７ｄは、オフ時間Ｔｏｆｆが第１の範囲の時間である場合に、第１の制御情報と合成光色との対応関係を変更する。
【０１３７】
これにより、点灯装置１１ｄは、第１の位相制御式調光器６のオンオフ操作をすることにより、合計光量と合成光色との対応関係を変更することができる。
【０１３８】
また、点灯装置１１ｄにおいて、制御回路１７ｄは、第１の制御情報が第１の範囲の値であり、かつ、オフ時間が第２の範囲の時間である場合に、第１の制御情報と合成光色との対応関係を所定の対応関係に決定する。
【０１３９】
これにより、点灯装置１１ｄは、複数の点灯装置１１ｄを一つの第１の位相制御式調光器６で制御する場合に、すべての点灯装置１１ｄにおける合計光量と合成光色との対応関係を所定の対応関係に揃えることができる。
【０１４０】
また、点灯装置１１ｄ、制御回路１７ｄは、オフ時間Ｔｏｆｆが所定の時間以上である場合に、交流電圧の供給が停止される直前における第１の制御情報と合計光量との対応関係を記憶し、交流電圧の供給が再開された場合に、当該対応関係に基づいて合計光量及び合成光色の制御を行う。
【０１４１】
これにより、点灯装置１１ｄは、消灯前に使用していた合成光色と合計光量との対応関係を記憶することができるため、次回に点灯する際に、消灯前の対応関係で点灯することができる。
【０１４２】
（変形例等）
以上、本発明に係る点灯装置、照明器具及び照明システムについて、実施の形態１〜４に基づいて説明したが、本発明は、これらの実施の形態に限定されない。本発明の趣旨を逸脱しない限り、当業者が思いつく各種変形を実施の形態に施したもの、及び、実施の形態における任意の構成要素を組み合わせて実現される形態も、本発明の範囲内に含まれてもよい。
【０１４３】
たとえば、上記各実施の形態では、第１の光源部７及び第２の光源部８として、ＬＥＤモジュールを用いる構成が示されたが、第１の光源部７及び第２の光源部８はＬＥＤモジュールに限られない。電流制御によって光量を調整できる光源であればよい。例えば、ＬＥＤチップ等であってもよいし、有機ＥＬ（Ｏｒｇａｎｉｃ  Ｅｌｅｃｔｒｏ−Ｌｕｍｉｎｅｓｃｅｎｃｅ）素子等の他の種類の光源であってもよい。
【０１４４】
また、上記各実施の形態では、色温度の異なる白色光を出力する光源部を用いる構成が示されたが、白色光の光源部を用いなくてもよい。例えば、光源部として、単色光を出力する光源を用いてもよい。
【０１４５】
また、上記各実施の形態では、制御回路が特性テーブルに基づいて合計光量と合成光色とを制御する構成が示されたが、制御回路は、制御情報と合計光量及び合成光色との関係を示す関数を用いる構成を有してもよい。
【０１４６】
また、上記各実施の形態においては、第１の位相制御式調光器６がスイッチを備える構成が示されたが、第１の位相制御式調光器６はスイッチを備えなくてもよい。例えば、第１の位相制御式調光器６に備えられたダイヤルなどを操作することによっても、点灯装置への交流電圧の供給のオン及びオフを切り替えることができる。これにより、第１の位相制御式調光器６の構成を簡易化することができる。
【０１４７】
また、上記実施の形態１及び４では、第１の制御信号Ｓ１及び第２の制御信号Ｓ２を制御回路に入力する構成が示されたが、一つの制御信号（例えば、第１の制御信号Ｓ１）だけを制御回路に入力する構成であってもよい。例えば、制御回路において、一つの制御信号から、第１の制御情報と第２の制御情報とを取得することも可能である。ただし、上記実施の形態１及び４に係るＲＣ回路１６３の時定数が大きい場合には、第１の制御信号Ｓ１においてオフ時間Ｔｏｆｆを正確に検出できない可能性がある。したがって、ＲＣ回路１６３の時定数が大きい場合には、二つの制御信号を用いる構成が有効である。
【０１４８】
また、上記実施の形態２の信号線式調光器９が出力する信号の形態と、第２の信号生成部１６５の構成との組み合わせは、上記実施の形態２において示された組み合わせに限られない。第２の信号生成部１６５から出力される第２の制御信号Ｓ２から制御回路が第２の制御情報を取得できる構成であればよい。
【０１４９】
また、上記実施の形態２においては、点灯装置１１ｂが信号線式調光器９から信号線を介して外部信号を受信する構成が示されたが、外部信号を受信する構成はこれに限られない。例えば、外部信号を含む無線信号を受信して、第２の入力端１９に外部信号を出力する受信素子を備える構成としてもよい。これにより、外部信号を無線信号によって点灯装置に送信することができるため、点灯装置及び調光器の配置の自由度が向上する。
【０１５０】
また、実施の形態４に係る点灯装置１１ｄの制御回路１７ｄが記憶する対応テーブルを、上記実施の形態１の変形例、及び、実施の形態２及び３に係る各制御回路に記憶させてもよい。
【０１５１】
また、上記実施の形態４では、合計光量が小さい場合において、点灯装置１１ｄが第１の光源部７だけを点灯させる構成を有したが、合計光量が小さい場合においても、合計光量が大きい場合と同じ合成光色となるように第１の光源部７及び第２の光源部８を点灯させてもよい。
【符号の説明】
【０１５２】
１、１ａ、１ｂ、１ｃ、１ｄ  照明システム
６  第１の位相制御式調光器
６ｃ  第２の位相制御式調光器
７  第１の光源部
８  第２の光源部
１０、１０ａ、１０ｂ、１０ｃ、１０ｄ  照明器具
１１、１１ａ、１１ｂ、１１ｃ、１１ｄ  点灯装置
１４  第１の電流供給部
１５  第２の電流供給部
１６、１６ａ、１６ｂ、１６ｃ  信号供給部
１７、１７ａ、１７ｂ、１７ｃ、１７ｄ  制御回路
１８、１８ａ  第１の入力端
１９、１９ａ  第２の入力端
【図１】
0006390839.tif 000002
【図２】
0006390839.tif 000003
【図３】
0006390839.tif 000004
【図４Ａ】
0006390839.tif 000005
【図４Ｂ】
0006390839.tif 000006
【図４Ｃ】
0006390839.tif 000007
【図５Ａ】
0006390839.tif 000008
【図５Ｂ】
0006390839.tif 000009
【図５Ｃ】
0006390839.tif 000010
【図６】
0006390839.tif 000011
【図７】
0006390839.tif 000012
【図８】
0006390839.tif 000013
【図９】
0006390839.tif 000014
【図１０】
0006390839.tif 000015